【手続補正書】
【提出日】平成24年6月19日(2012.6.19)
【手続補正１】
【補正対象書類名】明細書
【補正対象項目名】００３２
【補正方法】変更
【補正の内容】
【００３２】
上述の目的を達成するために、本発明の撮像装置は、基準信号を得るために有効画素領域の対向する２辺に隣接して形成された第１の基準画素領域および第２の基準画素領域を有する撮像素子と、前記有効画素領域の各ラインについて、前記第１の基準画素領域から出力される第１の基準画素信号および前記第２の基準画素領域から出力される第２の基準画素信号に基づいて傾き補正値を算出する算出手段と、前記算出手段により算出された前記傾き補正値を用いて、前記有効画素領域から出力される有効画素信号の傾きをライン毎に補正する補正手段とを有し、前記算出手段は、前記補正手段により傾きを補正する前記有効画素領域と同一ライン上にある前記第１および第２の基準画素領域から出力される前記第１および第２の基準画素信号に基づいて前記傾き補正値を算出することを特徴とする。
上述の目的を達成するために、本発明の撮像装置は、基準信号を得るために有効画素領域の対向する２辺に隣接して形成された第１の基準画素領域および第２の基準画素領域を有する撮像素子と、前記有効画素領域の各ラインについて、前記第１の基準画素領域から出力される第１の基準画素信号および前記第２の基準画素領域から出力される第２の基準画素信号に基づいて傾き補正値を算出する算出手段と、前記算出手段により算出された前記傾き補正値を用いて、前記有効画素領域から出力される有効画素信号の傾きをライン毎に補正する補正手段とを有し、前記算出手段は、前記第１の基準画素領域から出力される前記第１の基準画素信号と、前記第１の基準画素領域と異なるライン上にある前記第２の基準画素領域から出力される前記第２の基準画素信号に基づいて前記傾き補正値を算出することを特徴とする。
上述の目的を達成するために、本発明の撮像装置は、基準信号を得るために有効画素領域の対向する２辺に隣接して形成された第１の基準画素領域および第２の基準画素領域を有する撮像素子と、前記有効画素領域の各ラインについて、前記第１の基準画素領域から出力される第１の基準画素信号および前記第２の基準画素領域から出力される第２の基準画素信号に基づいて傾き補正値を算出する算出手段と、前記算出手段により算出された前記傾き補正値を用いて、前記有効画素領域から出力される有効画素信号の傾きをライン毎に補正する補正手段とを有し、前記算出手段は、同一の複数のライン上にある前記第１の基準画素領域および第２の基準画素領域から出力される前記第１の基準画素信号および前記第２の基準画素信号を算出することを特徴とする。
上述の目的を達成するために、本発明の撮像装置の制御方法は、基準信号を得るために有効画素領域の対向する２辺に隣接して形成された第１の基準画素領域および第２の基準画素領域を有する撮像素子を備えた撮像装置の制御方法であって、前記有効画素領域の各ラインについて、前記第１の基準画素領域から出力される第１の基準画素信号および前記第２の基準画素領域から出力される第２の基準画素信号に基づいて傾き補正値を算出する算出工程と、前記算出工程により算出された前記傾き補正値を用いて、前記有効画素領域から出力される有効画素信号の傾きをライン毎に補正する補正工程とを有し、前記算出工程は、前記補正工程により傾きを補正する前記有効画素領域と同一ライン上にある前記第１および第２の基準画素領域から出力される前記第１および第２の基準画素信号に基づいて前記傾き補正値を算出することを特徴とする。
上述の目的を達成するために、本発明の撮像装置の制御方法は、基準信号を得るために有効画素領域の対向する２辺に隣接して形成された第１の基準画素領域および第２の基準画素領域を有する撮像素子を備えた撮像装置の制御方法であって、前記有効画素領域の各ラインについて、前記第１の基準画素領域から出力される第１の基準画素信号および前記第２の基準画素領域から出力される第２の基準画素信号に基づいて傾き補正値を算出する算出工程と、前記算出工程により算出された前記傾き補正値を用いて、前記有効画素領域から出力される有効画素信号の傾きをライン毎に補正する補正工程とを有し、前記算出工程は、前記第１の基準画素領域から出力される前記第１の基準画素信号と、前記第１の基準画素領域と異なるライン上にある前記第２の基準画素領域から出力される前記第２の基準画素信号に基づいて前記傾き補正値を算出することを特徴とする。
上述の目的を達成するために、本発明の撮像装置の制御方法は、基準信号を得るために有効画素領域の対向する２辺に隣接して形成された第１の基準画素領域および第２の基準画素領域を有する撮像素子を備えた撮像装置の制御方法であって、前記有効画素領域の各ラインについて、前記第１の基準画素領域から出力される第１の基準画素信号および前記第２の基準画素領域から出力される第２の基準画素信号に基づいて傾き補正値を算出する算出工程と、前記算出工程により算出された前記傾き補正値を用いて、前記有効画素領域から出力される有効画素信号の傾きをライン毎に補正する補正工程とを有し、前記算出工程は、同一の複数のライン上にある前記第１の基準画素領域および第２の基準画素領域から出力される前記第１の基準画素信号および前記第２の基準画素信号を算出することを特徴とする。
【手続補正２】
【補正対象書類名】明細書
【補正対象項目名】００３３
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
基準信号を得るために有効画素領域の対向する２辺に隣接して形成された第１の基準画素領域および第２の基準画素領域を有する撮像素子と、
前記有効画素領域の各ラインについて、前記第１の基準画素領域から出力される第１の基準画素信号および前記第２の基準画素領域から出力される第２の基準画素信号に基づいて傾き補正値を算出する算出手段と、
前記算出手段により算出された前記傾き補正値を用いて、前記有効画素領域から出力される有効画素信号の傾きをライン毎に補正する補正手段とを有し、
前記算出手段は、前記補正手段により傾きを補正する前記有効画素領域と同一ライン上にある前記第１および第２の基準画素領域から出力される前記第１および第２の基準画素信号に基づいて前記傾き補正値を算出することを特徴とする撮像装置。
【請求項２】
基準信号を得るために有効画素領域の対向する２辺に隣接して形成された第１の基準画素領域および第２の基準画素領域を有する撮像素子と、
前記有効画素領域の各ラインについて、前記第１の基準画素領域から出力される第１の基準画素信号および前記第２の基準画素領域から出力される第２の基準画素信号に基づいて傾き補正値を算出する算出手段と、
前記算出手段により算出された前記傾き補正値を用いて、前記有効画素領域から出力される有効画素信号の傾きをライン毎に補正する補正手段とを有し、
前記算出手段は、前記第１の基準画素領域から出力される前記第１の基準画素信号と、前記第１の基準画素領域と異なるライン上にある前記第２の基準画素領域から出力される前記第２の基準画素信号に基づいて前記傾き補正値を算出することを特徴とする撮像装置。
【請求項３】
基準信号を得るために有効画素領域の対向する２辺に隣接して形成された第１の基準画素領域および第２の基準画素領域を有する撮像素子と、
前記有効画素領域の各ラインについて、前記第１の基準画素領域から出力される第１の基準画素信号および前記第２の基準画素領域から出力される第２の基準画素信号に基づいて傾き補正値を算出する算出手段と、
前記算出手段により算出された前記傾き補正値を用いて、前記有効画素領域から出力される有効画素信号の傾きをライン毎に補正する補正手段とを有し、
前記算出手段は、同一の複数のライン上にある前記第１の基準画素領域および第２の基準画素領域から出力される前記第１の基準画素信号および前記第２の基準画素信号を算出することを特徴とする撮像装置。
【請求項４】
基準信号を得るために有効画素領域の対向する２辺に隣接して形成された第１の基準画素領域および第２の基準画素領域を有する撮像素子を備えた撮像装置の制御方法であって、
前記有効画素領域の各ラインについて、前記第１の基準画素領域から出力される第１の基準画素信号および前記第２の基準画素領域から出力される第２の基準画素信号に基づいて傾き補正値を算出する算出工程と、
前記算出工程により算出された前記傾き補正値を用いて、前記有効画素領域から出力される有効画素信号の傾きをライン毎に補正する補正工程とを有し、
前記算出工程は、前記補正工程により傾きを補正する前記有効画素領域と同一ライン上にある前記第１および第２の基準画素領域から出力される前記第１および第２の基準画素信号に基づいて前記傾き補正値を算出することを特徴とする撮像装置の制御方法。
【請求項５】
基準信号を得るために有効画素領域の対向する２辺に隣接して形成された第１の基準画素領域および第２の基準画素領域を有する撮像素子を備えた撮像装置の制御方法であって、
前記有効画素領域の各ラインについて、前記第１の基準画素領域から出力される第１の基準画素信号および前記第２の基準画素領域から出力される第２の基準画素信号に基づいて傾き補正値を算出する算出工程と、
前記算出工程により算出された前記傾き補正値を用いて、前記有効画素領域から出力される有効画素信号の傾きをライン毎に補正する補正工程とを有し、
前記算出工程は、前記第１の基準画素領域から出力される前記第１の基準画素信号と、前記第１の基準画素領域と異なるライン上にある前記第２の基準画素領域から出力される前記第２の基準画素信号に基づいて前記傾き補正値を算出することを特徴とする撮像装置の制御方法。
【請求項６】
基準信号を得るために有効画素領域の対向する２辺に隣接して形成された第１の基準画素領域および第２の基準画素領域を有する撮像素子を備えた撮像装置の制御方法であって、
前記有効画素領域の各ラインについて、前記第１の基準画素領域から出力される第１の基準画素信号および前記第２の基準画素領域から出力される第２の基準画素信号に基づいて傾き補正値を算出する算出工程と、
前記算出工程により算出された前記傾き補正値を用いて、前記有効画素領域から出力される有効画素信号の傾きをライン毎に補正する補正工程とを有し、
前記算出工程は、同一の複数のライン上にある前記第１の基準画素領域および第２の基準画素領域から出力される前記第１の基準画素信号および前記第２の基準画素信号を算出することを特徴とする撮像装置の制御方法。